Podtech/llm-jp-corpus-v4-ja_patent huggingface dataset:
【手続補正書】
【提出日】平成19年1月26日(2007.1.26)
【手続補正１】
【補正対象書類名】特許請求の範囲
【補正対象項目名】請求項２
【補正方法】変更
【補正の内容】
【請求項２】
式Ｉ−１〜Ｉ−３
【化４】
2006520327.tif 000001
式中、パラメーターは、請求項１において定義した通りである、
で表される化合物からなる群から選択されている、請求項１に記載の式Ｉで表される化合物。
【手続補正２】
【補正対象書類名】特許請求の範囲
【補正対象項目名】請求項８
【補正方法】変更
【補正の内容】
【請求項８】
式ＩＩ
【化５】
2006520327.tif 000002
式中、
Ｒ２１およびＲ２２は、各々、互いに独立して、請求項１における式Ｉの下でＲ１について定義した通りであり、
Ｚ２１およびＺ２２は、各々、互いに独立して、請求項１における式Ｉの下でＺ１について定義した通りであり、
【化６】
2006520327.tif 000003
は、各々、互いに独立して、
【化７】
2006520327.tif 000004
であり、
Ｌ１およびＬ２は、共にＣ−Ｆであるか、または２つのうちの一方がＮであり、他方がＣ−Ｆであり、
ｌは、０または１である、
で表される１種または２種以上の誘電的に負の化合物
を含むことを特徴とする、請求項６または７に記載の液晶媒体。
【手続補正３】
【補正対象書類名】明細書
【補正対象項目名】００２１
【補正方法】変更
【補正の内容】
【００２１】
好ましいのは、好ましくは式Ｉ−１〜Ｉ−３で表され、式中
ｎ＋ｍの合計が０または１、好ましくは０である
化合物からなる群から選択された、式Ｉで表される化合物である。
ある態様において、本発明の化合物は、式Ｉ−１ａ〜Ｉ−３ｂ
【数１】
2006520327.tif 000005
式中、パラメーターは、式Ｉについて定義した通りである、
で表される化合物からなる群から選択される。
【手続補正４】
【補正対象書類名】明細書
【補正対象項目名】００８６
【補正方法】変更
【補正の内容】
【００８６】
あるいは、
【数２】
2006520327.tif 000006
は、各々、互いに独立して、
【数３】
2006520327.tif 000007
であり、
【数４】
2006520327.tif 000008
は、
【数５】
2006520327.tif 000009
であり、
Ｌ２１およびＬ２２は、共にＣ−Ｆであるか、または２つのうちの一方がＮであり、他方がＣ−Ｆであり、好ましくは共にＣ−Ｆであり、
ｌは、０、１または２、好ましくは０または１である、
で表される１種または２種以上の誘電的に負の化合物；
並びに随意に
【手続補正５】
【補正対象書類名】明細書
【補正対象項目名】０２５３
【補正方法】変更
【補正の内容】
【０２５３】
比較例ＣＭ−１
本発明の化合物を含まない、以下の表に示す混合物を調製し、検査する。
【表５４】
2006520327.tif 000010
液晶媒体は、透明点、複屈折および誘電異方性について、例Ｍ−４の媒体に類似した値を有する。しかし、これは、顕著に一層高い回転粘度および同時に一層高いしきい値電圧を有し、従って明らかに劣った適用的な特性を有する。
【手続補正６】
【補正対象書類名】明細書
【補正対象項目名】０２５５
【補正方法】変更
【補正の内容】
【０２５５】
比較例ＣＭ−２
本発明の化合物を含まない、以下の表に示す混合物を調製し、検査する。
【表５６】
2006520327.tif 000011
液晶媒体は、透明点、複屈折および誘電異方性について、例Ｍ−５の媒体に類似した値を有する。しかし、これは、顕著に一層高い回転粘度および同時に一層高いしきい値電圧を有し、従って比較的好適でない適用的な特性を有する。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
処置を必要とする対象における増殖性疾患の処置法であり；
(ａ)遊離形または薬学的に許容される塩形の式Ｉ
【化１】
2006520353.tif 000001
〔式中、
ＡはＯまたはＮＲＮであり、ここで、ＲＮは水素または低級アルキルであり、Ｒは水素または低級アルキルであり、そしてＺはＯまたは結合である。〕
のエポシロン誘導体を、
(ｂ)電離放射線と組み合わせて
投与することを含む、方法。
【請求項２】
(ａ)ＡがＯであり、Ｒが低級アルキルであり、ＺがＯである式Ｉの化合物を
(ｂ)電離放射線と組み合わせて
投与することを含む、請求項１記載の方法。
【請求項３】
(ａ)エポシロンＢを、
(ｂ)電離放射線と組み合わせて
投与することを含む、請求項１または２記載の方法。
【請求項４】
対象が、増殖性疾患を有する温血動物であり、請求項１、２または３のいずれかに記載の組み合わせを、該動物に増殖性疾患に対して併用で治療的に有効となる方法で投与することを含む、請求項１、２または３のいずれかに記載の方法。
【請求項５】
増殖性疾患に対して併用で治療的に有効となる量で式Ｉの化合物および少なくとも１個の薬学的に許容される担体を投与することを含み、電離放射線と併用して使用するための、請求項１から４のいずれかに記載の方法。
【請求項６】
処置を必要とする対象における、増殖性疾患の進行の遅延のための、請求項１、２、３、４または５のいずれかに記載の方法。
【請求項７】
増殖性疾患の処置のための、請求項１、２、３、４または５のいずれかに記載の方法。
【請求項８】
増殖性疾患の進行の遅延または処置用の、電離放射線と組み合わせて使用するための医薬の製造のための、請求項１、２または３のいずれかに記載の式Ｉの化合物の使用。
【請求項９】
増殖性疾患が固形腫瘍である、請求項６、７または８のいずれかに記載の方法。
【請求項１０】
ＡがＯまたはＮＲＮであり、ここで、ＲＮが水素または低級アルキルであり、Ｒが水素または低級アルキルであり、そしてＺがＯまたは結合である式Ｉの化合物(またはその薬学的に許容される塩もしくはプロドラッグエステル)を、増殖性疾患の処置のために電離放射線と組み合わせた使用のための指示書と共に含む、包装物。
【手続補正２】
【補正対象書類名】明細書
【補正対象項目名】００１７
【補正方法】変更
【補正の内容】
【００１７】
エポシロンＢの対応するラクタムへの変換は、ＷＯ９９／０２５１４のスキーム２１(３１、３２頁)および実施例３(４８−５０頁)に記載されている。エポシロンＢと異なる式Ｉの化合物の、対応するラクタムへの変換は、同様に達成できる。ＲＮが低級アルキルである対応する式Ｉのエポシロン誘導体は、ＲＮが水素であるエポシロン誘導体から出発して、還元的アルキル化のような当分野で既知の方法により製造できる。
【手続補正３】
【補正対象書類名】明細書
【補正対象項目名】００４３
【補正方法】変更
【補正の内容】
【００４３】
実施例１
腫瘍細胞増殖を、代謝物活性の検出に基づく、比色分析のＭＴＴ−様alamarBlueアッセイにより評価した。クローン的生存を決定するために、培養した単一細胞の数を、約１００コロニー／皿が、決められた処置で得られるように調節した。２４時間異なる薬剤に暴露した後、細胞を照射し、８から１０日間増殖させ、その後メタノール／酢酸(７５％／２５％)に固定し、クリスタル・バイオレットで染色した。５０細胞／コロニー以上のコロニーのみを計数した。非処置細胞の平板効率(ＰＥ)を決定し、ＰＥ(％)＝(記録したコロニー／播いた細胞数)×１００として計算した。決められた処置での生存フラクション(ＳＦ)は、ＳＦ＝(記録したコロニー)／(播いた細胞数×ＰＥ／１００)により決定した。クローン的アッセイを少なくとも２回行い、エラーバーが無いのは、極小の標準偏差によるものである。細胞培養の照射は、室温で細胞培養皿(１００×１００mm)または９６ウェルプレート中、Pantak Therapax ３,３００ｋＶ  Ｘ線ユニットを使用して、０.７Gy／分で行った。線量測定は、Vigilant−線量計で制御した。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
以下の式I：
【化１】
2006520359.tif 000001
｛式中、
R1は、置換されない、或いはハロゲン、Ｃ1〜Ｃ6アルコキシ、Ｃ1〜Ｃ6アルキルメルカプト、Ｃ1〜Ｃ6アルコキシカルボニル、Ｃ1〜Ｃ6アルキルスルフィニル又はＣ1〜Ｃ6アルキルスルホニル基で少なくとも1回置換されている、１〜２０個の炭素原子を有する、直鎖又は分岐鎖の、飽和又は不飽和アルキル鎖から成る群から選ばれ；
Ｒ2は、水素、及び置換されない、或いはハロゲン、Ｃ1〜Ｃ6アルコキシ、Ｃ1〜Ｃ6アルキルメルカプト、Ｃ1〜Ｃ6アルコキシカルボニル、又はＣ1〜Ｃ6アルキルスルホニル基で少なくとも1回置換されている、１〜２０個の炭素原子を有する、直鎖又は分岐鎖の、飽和又は不飽和アルキル鎖から成る群から選ばれ；
Ｒ3は、アミノであり；
Ｘは、イオウ原子、スルフィニル及びスルホニル基から成る群から選ばれ；そして
Ｙは、酸素であり、ここで、R3がアミノである場合には、該アミノ基は置換されない、又は知られたアミノ保護基で置換されていることができる。｝
により表されるヌクレオチド誘導体、その互変異性体、その光学活性体又はラセミ混合物、或いは生理学的に許容可能なその有機又は無機の酸又は塩基の塩。
【請求項２】
R1が、置換されない、或いはC1〜C6アルコキシ又はC1〜C6アルキルメルカプト基で置換されている直鎖C8〜C15アルキル基である、請求項１に記載のヌクレオチド誘導体。
【請求項３】
R2が、置換されない、或いはC1〜C6アルコキシ又はC1〜C6アルキルメルカプト基で置換されている直鎖C8〜C15アルキル基を表す、請求項１に記載のヌクレオチド誘導体。
【請求項４】
請求項１〜３のいずれか1項に記載のヌクレオチド誘導体であって、該化合物が、以下の式：
【化２】
2006520359.tif 000002
｛式中、
Xがイオウ、スルフィニル又はスルホニルである。｝
により表される、前記ヌクレオチド誘導体。
【請求項５】
少なくとも１つの請求項１〜４に記載の化合物を薬剤として許容可能なアジュバント又はビヒクルとともに含む、医薬組成物。
【請求項６】
悪性腫瘍の治療のための医薬組成物であって、該腫瘍の治療に有効な量の請求項１〜４のいずれか１項に記載の化合物を含む、前記医薬組成物。
【請求項７】
前記腫瘍が、癌腫、肉腫、及び白血病から成る群から選ばれる、請求項６に記載の医薬組成物。
【請求項８】
他の抗癌剤との固定した組み合わせ又は自由な組み合わせにおいて上記腫瘍の治療に有効な量の請求項６又は７に記載の医薬組成物。
【手続補正２】
【補正対象書類名】明細書
【補正対象項目名】００５６
【補正方法】変更
【補正の内容】
【００５６】
実施例４
［２−クロロ−９−（２’−デオキシ−２’−フルオロ−β−Ｄ−アラビノフラノシル）アデニン］−５’−二リン酸、（３−ドデシルメルカプト−２−デシルオキシ）プロピルエステルの調製
最初のステップは、２−クロロ−６−メトキシ−９−（２’−デオキシ−２’−フルオロ−β−Ｄ−アラビノフラノシル）−９Ｈ−プリンからの２−クロロ−６−メトキシ−９−（２’−デオキシ−２’−フルオロ−５’−O−リン酸−β−D−アラビノフラノシル）−９H−プリンの調製である。
【化１６】
2006520359.tif 000003
【手続補正３】
【補正対象書類名】明細書
【補正対象項目名】００６０
【補正方法】変更
【補正の内容】
【００６０】
第三のステップは、リン酸モノ−（３−ドデシルメルカプト−２−デシルオキシ）−１−プロピルエステルのモルホリデートと２−クロロ−９−（２’−デオキシ−２’−フルオロ−５’−Ｏ−リン酸−β−Ｄ−アラビノフラノシル）アデニンを反応させることによって、（２−クロロ−９−（２’−デオキシ−２’−フルオロ−β−Ｄ−アラビノフラノシル）アデニン−５’−二リン酸（３−ドデシルメルカプト−２−デシルオキシ）プロピルエステルを生成することである。
【化１８】
2006520359.tif 000004
【手続補正４】
【補正対象書類名】明細書
【補正対象項目名】００６２
【補正方法】変更
【補正の内容】
【００６２】
（アデノシン誘導体１モルあたり、例えば、１．１３モルの）ホスホモルホリデートを（例えば、２３mL／ミリモルアデノシン誘導体の）無水ピリジンとして調製し、そして２−クロロ−９−（２’−デオキシ−２’−フルオロ−５’−O−リン酸−β−D−アラビノフラノシル）アデニンをすべて窒素下で攪拌しながら添加する。この混合物を（例えば、４０℃で少なくとも１６時間）攪拌し、そして（例えば、４．５mL／ミリモルアデノシン誘導体で）水を加え、攪拌を続ける（例えば、１時間）。溶媒を蒸発させ、生成物を（シリカゲル、CHCl3、MeOH及びNH4OH（水溶液）の混合物で溶出する）クロマトグラフィーにかけて、［２−クロロ−９−（２’−デオキシ−２’−フルオロ−β−Ｄ−アラビノフラノシル）アデニン］−５’−二リン酸，（３−ドデシルメルカプト−２−デシルオキシ）プロピルエステルを白色固体として（例えば、２０〜１００％の収率で）得る。
【手続補正書】
【提出日】平成19年3月8日(2007.3.8)
【手続補正１】
【補正対象書類名】特許請求の範囲
【補正対象項目名】請求項１
【補正方法】変更
【補正の内容】
【請求項１】
純粋な１−（４−フルオロフェニル）−１，３−ジヒドロ−５−イソベンゾフランカルボニトリルの製造方法において、
（ａ）５−シアノフタリドを４−フルオロフェニルマグネシウムハライドと反応させること；
（ｂ）３−ヒドロキシメチル−４−（４−フルオロベンゾイル）ベンゾニトリル及び３−ヒドロキシメチル−４−［ビス−（４−フルオロフェニル）ヒドロキシメチル］ベンゾニトリルを含む、このようにして得られた混合物を、ケトンをアルコールに還元する剤で処理すること；
（ｃ）３−ヒドロキシメチル−４−［（４−フルオロフェニル）ヒドロキシメチル］ベンゾニトリル（Ｃ）及び３−ヒドロキシメチル−４−［ビス−（４−フルオロフェニル）ヒドロキシメチル］ベンゾニトリルを含む、このようにして得られた混合物を環化反応に付し、そして１−（４−フルオロフェニル）−１，３−ジヒドロ−５−イソベンゾフランカルボニトリル（Ｂ）及び１，１−ビス（４−フルオロフェニル）−１，３−ジヒドロ−５−イソベンゾフランカルボニトリルを含む混合物を分離すること；及び
（ｄ）このようにして得られた混合物を、１，１−ビス（４−フルオロフェニル）−１，３−ジヒドロ−５−イソベンゾフランカルボニトリルを溶解できるが、１−（４−フルオロフェニル）−１，３−ジヒドロ−５−イソベンゾフランカルボニトリル（Ｂ）を溶解しない溶媒で処理し、そして純粋な１−（４−フルオロフェニル）−１，３−ジヒドロ−５−イソベンゾフランカルボニトリル（Ｂ）を回収すること、ここで上記溶媒はイソプロパノール又はメチル−t−ブチルエーテルである、
を含む方法。
【手続補正２】
【補正対象書類名】特許請求の範囲
【補正対象項目名】請求項８
【補正方法】変更
【補正の内容】
【請求項８】
シタロプラム又はその薬学的に許容される塩の製造方法において、
（ａ）５−シアノフタリドを４−フルオロフェニルマグネシウムハライドと反応させること；
（ｂ）３−ヒドロキシメチル−４−（４−フルオロベンゾイル）ベンゾニトリル及び３−ヒドロキシメチル−４−［ビス−（４−フルオロフェニル）ヒドロキシメチル］ベンゾニトリルを含む、このようにして得られた混合物を、ケトンをアルコールに還元する剤で処理すること；
（ｃ）３−ヒドロキシメチル−４−［（４−フルオロフェニル）ヒドロキシメチル］ベンゾニトリル（Ｃ）及び３−ヒドロキシメチル−４−［ビス−（４−フルオロフェニル）ヒドロキシメチル］ベンゾニトリルを含む、このようにして得られた混合物を環化反応に付し、そして１−（４−フルオロフェニル）−１，３−ジヒドロ−５−イソベンゾフランカルボニトリル（Ｂ）及び１，１−ビス（４−フルオロフェニル）−１，３−ジヒドロ−５−イソベンゾフランカルボニトリルを含む混合物を分離すること；
（ｄ）このようにして得られた混合物を、１，１−ビス（４−フルオロフェニル）−１，３−ジヒドロ−５−イソベンゾフランカルボニトリルを溶解できるが、１−（４−フルオロフェニル）−１，３−ジヒドロ−５−イソベンゾフランカルボニトリル（Ｂ）を溶解しない溶媒で処理し、そして純粋な１−（４−フルオロフェニル）−１，３−ジヒドロ−５−イソベンゾフランカルボニトリル（Ｂ）を回収すること、ここで上記溶媒はイソプロパノール又はメチル−t−ブチルエーテルである、；
（ｅ）塩基性の縮合剤の存在下で、該純粋な１−（４−フルオロフェニル）−１，３−ジヒドロ−５−イソベンゾフランカルボニトリル（Ｂ）を３−（ジメチルアミノ）プロピルハライドで処理し、そしてシタロプラムを遊離の塩基又はその薬学的に許容される塩として単離すること
を含む方法。
【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
供給溶液からエタノールを獲得するための方法であって、
水およびエタノールを含む供給溶液を提供するステップと、
少なくとも１つのアルカンと、式
【化１】
2006520398.tif 000001
（式中、Ｒ1、Ｒ2、Ｒ3、Ｒ4、Ｒ5およびＲ7は、それぞれ独立して、Ｈまたは１〜４個の炭素原子を有する直鎖アルキル基を表し、
Ｒ6は、１〜４個の炭素原子を有する直鎖アルキル基を表するか、あるいはＲ3およびＲ6は一緒になって１〜４個の炭素原子を有するアルキレン基を表し、
ｍおよびｎは独立して０、１、２または３を表し、
ただし、Ｒ4がＨを表す場合には、Ｒ1、Ｒ2およびＲ3のうちの少なくとも２つ、またはＲ5およびＲ7のうちの少なくとも１つは、１〜４個の炭素原子を有する直鎖アルキル基であることを条件とする）
を有する少なくとも１つの脂肪族アルコールとの混合物を含む、前記供給溶液と混和しない抽出剤を提供するステップと、
前記抽出剤を前記供給溶液と接触させるステップと、
前記抽出剤からエタノールを少なくとも部分的に除去するステップと、
を含む方法。
【請求項２】
複数の微細孔を有する膜を提供するステップと、
前記膜を前記抽出剤および前記供給溶液と接触させるステップと、
をさらに含み、前記抽出剤および前記供給溶液が、前記膜の少なくとも１つの微細孔内で互いに接触する、請求項１に記載の方法。
【請求項３】
供給溶液からエタノールを獲得するための方法であって、
水およびエタノールを含む供給溶液を提供するステップと、
前記供給溶液からのエタノール抽出に対して第１の歩留まり率を有する少なくとも１つのアルカンと、前記供給溶液からのエタノール抽出に対して第２の歩留まり率を有する、６〜１２個の炭素原子を有する少なくとも１つの分枝状脂肪族アルコールとの混合物であって、前記供給溶液からのエタノール抽出に対して前記第１および第２の両方の歩留まり率よりも大きい第３の歩留まり率を有する混合物を含む、前記供給溶液と混和しない抽出剤を提供するステップと、
前記抽出剤を前記供給溶液と接触させるステップと、
前記抽出剤からエタノールを少なくとも部分的に除去するステップと、
を含む方法。
【請求項４】
複数の微細孔を有する膜を提供するステップと、
前記膜を前記抽出剤および前記供給溶液と接触させるステップと、
をさらに含み、前記抽出剤および前記供給溶液が、前記膜の少なくとも１つの微細孔内で互いに接触する、請求項３に記載の方法。
【手続補正書】
【提出日】平成19年3月12日(2007.3.12)
【手続補正１】
【補正対象書類名】特許請求の範囲
【補正対象項目名】請求項１
【補正方法】変更
【補正の内容】
【請求項１】
式（Ｉ）の化合物またはその医薬的に許容可能な塩：
【化１】
2006520397.tif 000001
｛式中、mはそれぞれの場合で０、１または２から独立して選択され；
ｎはそれぞれの場合で０または１から独立して選択され；
Aは、場合により置換されたフェニル、場合により置換されたフェノール、場合により置換された複素環であり；
Bは、場合により置換されたフェニル、場合により置換されたフェノール、場合により置換された複素環であり；
R1は、H、OH、F、Cl、Br、I、NH2、-C(=O)Rc-C(=O)NHRc、C(=O)CH2Rc-C(=O)(CH2)2Rc、C(=O)(CH2)3Rc、-C(=O)NH(CH2)NH2、-C(=O)NH(CH2)2NH2、-C(=O)NH(CH2)3NH2、-C(=O)NH(CH2)N(CH3)2、-C(=O)NH(CH2)2N(CH3)2、-C(=O)NH(CH2)3N(CH3)2、-C(=O)NH(CH2)2NHCH3、-C(=O)NH(CH2)3OH、-C(=O)NHNH2、-C(=O)NHCH(CH3)CH2N(CH3)2、-C(=O)NH(CH2)2NHC(CH3)2、(CH2)1-3OH、-C(=O)ORa、-C(=O)NHNH2、-NH(CH2)1-3Ra、-CH2NH(CH2)1-3Ra、-NHC(=O)OR、-(C6H4)NH-シクロアルキル、-(C6H4)NH-場合により置換された複素環、-(C6H4)CH2NH-アルキル-OH、-(C6H4)N(CH3)2、-O-アルキル-NH2、場合により置換されたアルキル、場合により置換されたN-アルキル、場合により置換されたアルケニル、場合により置換されたアルキニル、場合により置換されたシクロアルキル、場合により置換されたシクロアルケニル、場合により置換されたシクロアルキニル、場合により置換されたアリール、場合により置換されたアルコキシ、場合により置換された複素環、または場合により置換された縮合複素環であり；
R2はH、OH、F、Cl、Br、I、NH2、(CH2)1-3OH、-C(=O)ORa、-C(=O)NHNH2、-NH(CH2)1-3Ra、-CH2NH(CH2)1-3Ra、-NHC(=O)OR、場合により置換されたアルキル、場合により置換されたN-アルキル、場合により置換されたアルケニル、場合により置換されたアルキニル、場合により置換されたシクロアルキル、場合により置換されたシクロアルケニル、場合により置換されたシクロアルキニル、場合により置換されたアリール、場合により置換されたアルコキシ、場合により置換された複素環、または場合により置換された縮合複素環であり；
R3はH、OH、F、Cl、Br、I、NH2、CH3であり；
R4はH、OH、F、Cl、Br、I、NH2、Ra、OCH3、-C(=O)ORa、-C(=O)NHNH2、-NH(CH2)1-3Ra、-CH2NH(CH2)1-3Ra、-NHC(=O)ORa、-(C6H4)CH2NH(CH2)1-3Ra、-(C6H4)CH2N(CH3)(CH2)1-3Ra、-(C6H4)(CH2)0-3Ra、-(C6H4)(Rb)CH2Ra、-(C6H4)CH2NHRa、-(C6H4)C(=O)Ra-(C6H4)NHC(=O)Ra、-(C6H4)CH2NH(CH2)1-3RaRb、-(C6H4)NHSO2CH3、場合により置換されたアルキル、場合により置換されたN-アルキル、場合により置換されたアルケニル、場合により置換されたアルキニル、場合により置換されたシクロアルキル、場合により置換されたシクロアルケニル、場合により置換されたシクロアルキニル、場合により置換されたアリール、場合により置換されたアルコキシ、場合により置換された複素環、または場合により置換された縮合複素環であり；
R5はH、OH、F、Cl、Br、I、NH2、OCH3、-C(=O)ORa、-C(=O)NHNH2、-NH(CH2)1-3Ra、-CH2NH(CH2)1-3Ra、-NHC(=O)ORa、場合により置換されたアルキル、場合により置換されたN-アルキル、場合により置換されたアルケニル、場合により置換されたアルキニル、場合により置換されたシクロアルキル、場合により置換されたシクロアルケニル、場合により置換されたシクロアルキニル、場合により置換されたアリール、場合により置換されたアルコキシ、場合により置換された複素環、または場合により置換された縮合複素環であり；
R6はH、OH、F、Cl、Br、I、NH2、NHC1-6アルキル、N(C1-6アルキル)2、-(C6H4)CH2Ra、-(C6H4)CH2NRaRb、場合により置換されたアリールであり；
RaはH、OH、OCH3、C1-6アルキル、C1-6アルコキシ、NH2、NHCH3、N(CH3)2、CH2C(CH3)2、場合により置換されたフェニル、場合により置換されたシクロアルキル、１若しくは２個の酸素若しくは１若しくは２個の窒素または１個の窒素と１個の酸素または１個の窒素と１個の硫黄または１個の酸素と１個の硫黄環原子をもつ場合により置換された５若しくは６若しくは６員の複素環であり；
RbはH、OH、OCH3、C1-6アルキル、C1-6アルコキシであり；
Rcは場合により置換されたC4-7複素環であり；
XはCH、置換されたC、N、O、またはその任意の組み合わせであり；
YはCH、置換されたC、N、O、またはその任意の組み合わせであり；
ZはCH、置換されたC、N、O、またはその任意の組み合わせであり；
VはCH、置換されたC、N、O、またはその任意の組み合わせである｝。
【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
皮膚の質を改善するのに有効な量で免疫応答修飾因子（ＩＲＭ）化合物を皮膚に局所的に適用することを含む、皮膚の質を改善する方法。
【請求項２】
見て分かる程度にしわを低減するのに十分な量および期間で、ヒトの皮膚のしわにＩＲＭ化合物を局所的に適用することを含む、見て分かる程度にヒトの皮膚のしわを低減する方法であって、前記ＩＲＭ化合物が、イミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、チアゾロナフチリジンアミン、またはその組み合わせである、方法。
【請求項３】
加齢に伴う皮膚変化を示す皮膚の領域に、前記加齢に伴う皮膚変化の出現を低減するのに十分な量および期間で、ＩＲＭ化合物を局所的に適用することを含む、加齢に伴う皮膚変化の出現を低減する方法であって、前記ＩＲＭ化合物が、イミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、チアゾロナフチリジンアミン、またはその組み合わせである、方法。
【請求項４】
真皮における変化を逆戻りさせる、または予防するのに十分な量および期間で、顔の皮膚にＩＲＭ化合物を局所的に適用することを含む、顔の皮膚の質を改善する方法であって、その真皮における変化が、真皮乳頭における弾性繊維の数および直径の減少、真皮の萎縮、皮下脂肪組織の減少、上部真皮における異常な弾性物質の沈着、およびその組み合わせを含み、かつ前記ＩＲＭ化合物が、イミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、チアゾロナフチリジンアミン、またはその組み合わせである、方法。
【請求項５】
手術創から生ずる対象皮膚の瘢痕化を防止する方法であって、ＩＲＭ化合物を前記皮膚の質の改善をするのに有効な量で、手術創の位置において前記皮膚に局所的に適用することを含む、方法。
【請求項６】
手術創から生ずる対象皮膚の瘢痕化を逆行させ、又は減少させる方法であって、ＩＲＭ化合物を前記皮膚の質の改善をするのに有効な量で、手術創の位置において前記瘢痕化された皮膚に局所的に適用することを含む、方法。
【手続補正書】
【提出日】平成19年2月23日(2007.2.23)
【手続補正２】
【補正対象書類名】特許請求の範囲
【補正対象項目名】全文
【補正方法】変更
【補正の内容】
【特許請求の範囲】
【請求項１】
式（Ｉ）：
【化１】
2006520343.tif 000001
で表される２−（ブチル−１−スルホニルアミノ）−Ｎ−［１（Ｒ）−（６−メトキシピリジン−３−イル）プロピル］ベンズアミド及びその生理学上受容できる塩。
【請求項２】
請求項１に記載の２−（ブチル−１−スルホニルアミノ）−Ｎ−［１（Ｒ）−（６−メトキシピリジン−３−イル）プロピル］ベンズアミド。
【請求項３】
医薬品として使用するための請求項１又は２に記載の２−（ブチル−１−スルホニルアミノ）−Ｎ−［１（Ｒ）−（６−メトキシピリジン−３−イル）プロピル］ベンズアミド又はその生理学上受容できる塩。
【請求項４】
心臓性不整脈、上室性不整脈、心房性細動又は心房性粗動の治療又は予防のための医薬品の製造における請求項１又は２に記載の２−（ブチル−１−スルホニルアミノ）−Ｎ−［１（Ｒ）−（６−メトキシピリジン−３−イル）プロピル］ベンズアミド又はその生理学上受容できる塩の使用。
【請求項５】
請求項１又は２に記載の２−（ブチル−１−スルホニルアミノ）−Ｎ−［１（Ｒ）−（６−メトキシピリジン−３−イル）プロピル］ベンズアミド又はその生理学上受容できる塩の有効量を、製薬的に受容可能なビヒクル及び添加物と共に含有するヒトの又は獣医学的使用のための医薬製剤。
【請求項６】
請求項１又は２に記載の２−（ブチル−１−スルホニルアミノ）−Ｎ−［１（Ｒ）−（６−メトキシピリジン−３−イル）プロピル］ベンズアミド又はその生理学上受容できる塩の有効量と、製薬的に受容可能なビヒクル及び添加物、並びに、場合によっては、さらに１又はそれ以上の薬理学的活性化合物を共に含有するヒトの又は獣医学的使用のための医薬製剤。
【請求項７】
１（Ｒ）−（６−メトキシピリジン−３−イル）プロピルアミン。
【請求項８】
２−（ブチル−１−スルホニルアミノ）−Ｎ−［１（Ｒ）−（６−メトキシピリジン−３−イル）プロピル］ベンズアミド又はその生理学上受容できる塩の製造のための中間体としての１（Ｒ）−（６−メトキシピリジン−３−イル）プロピルアミンの使用。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
式Ｉ
【化１】
2006520345.tif 000001
（式中、
Ｒ１は、
ａ）−ＣＦ3、
ｂ）−Ｏ−ＣＦ3、
ｃ）−Ｓ−ＣＦ3、
ｄ）−ＯＨ、
ｅ）−ＮＯ2、
ｆ）ハロゲン、
ｇ）ベンジル、
ｈ）フェニル、
ｉ）−Ｏ−フェニル、
ｋ）−ＣＮ、
ｌ）１）（Ｃ1−Ｃ4）−アルキル、
２）ハロゲン、
３）−ＯＣＦ3  または
４）−Ｏ−ＣＨ3
で一置換または多置換されている−Ｏ−フェニルであり、そして
Ｒ２は、
ａ）（Ｃ1−Ｃ4）−アルキル、
ｂ）ハロゲン、または
ｃ）水素原子である）
で表わされる化合物の製法において、
式II
【化２】
2006520345.tif 000002
（式中、
Ｒ１およびＲ２は上記定義のとおりである）
で表わされる化合物を、無水酢酸、少なくとも一種の溶媒、および
アルカリ金属水酸化物、例えば水酸化ナトリウムまたは水酸化カリウム；
固体の形態またはアルカリ液の形態の苛性ソーダ；
アミド、例えばナトリウムアミド；
アルコキシド、例えばナトリウムメトキシドまたはカリウムｔｅｒｔ−ブトキシド；
有機金属化合物、例えばｎ−ブチルリチウム；またはこれらの塩基の混合物；
からなる群の少なくとも一種の塩基の存在下に反応させ、そして次に得られた式Ｉの化合物を単離することを含む上記製法。
【請求項２】
式III
【化３】
2006520345.tif 000003
で表わされる化合物を式IV
【化４】
2006520345.tif 000004
で表わされる化合物から製造し、そして次に得られた式IIIの化合物を単離する請求項１記載の方法。
【請求項３】
使用される溶媒が、
水、
ケトン溶媒、例えばアセトン、メチルエチルケトン、ジエトキシメタンまたはメチルイソブチルケトン；
ハロゲン化炭化水素、例えばジクロロメタン；
アルコール、例えばエタノール、イソプロパノールまたはｎ−ブタノール；
エーテル、例えばジイソプロピルエーテル、ジエトキシメタンまたはジエチレングリコールジメチルエーテル；
炭化水素、例えばトルエン；
エステル、例えば酢酸エチル；
非プロトン性溶媒、例えばジメチルホルムアミド、ジメチルアセトアミド、ジメチルスルホキシドまたはＮ−メチルピロリジノンまたは上記溶媒の混合物、
または相間移動触媒、例えば第四級アンモニウムまたはホスホニウム塩、例えばジメチルジテトラデシルアンモニウムブロミド、ベンジルトリエチルアンモニウムクロリド、３−メチルトリオクチルアンモニウムクロリド、テトラブチルアンモニウム硫酸水素塩、またはテトラブチルホスホニウムクロリド；
クラウンエーテルまたは４,７,１３,１６,２１,２４−ヘキサオキサ−１,１０−ジアザビシクロ（８.８.８）ヘキサコサン；
またはポリエチレングリコールである、請求項１または２に記載の方法。
【請求項４】
式ＩまたはIIIで表わされる化合物を、酸、例えば塩酸、硫酸、硝酸、またはリン酸またはこれらの酸の混合物を使用して析出させる請求項１〜３のいずれかに記載の方法。
【請求項５】
式IIまたはIVで表わされる化合物１００ｍｏｌ当たり無水酢酸１５０ｍｏｌ〜３００ｍｏｌおよび水酸化ナトリウム１００ｍｏｌ〜５５０ｍｏｌを使用する請求項１〜４のいずれかに記載の方法。
【請求項６】
式ＩＩまたはＩＶで表わされる化合物１ｋｇを基にして３ｋｇ〜１１ｋｇ、好ましくは４ｋｇ〜６ｋｇの量で溶媒を使用する請求項１〜５のいずれかに記載の方法。
【請求項７】
反応温度が−５℃〜５０℃、好ましくは０℃〜３０℃、特に１０℃である請求項１〜６のいずれかに記載の方法。
【手続補正２】
【補正対象書類名】明細書
【補正対象項目名】０００６
【補正方法】変更
【補正の内容】
【０００６】
さらに、本発明は、
式ＩＶ
【化３】
2006520345.tif 000005
を有する化合物を水、水酸化ナトリウム、無水酢酸および追加の溶媒の存在下に反応させ、そして次に得られた式ＩＩＩ
【化４】
2006520345.tif 000006
の化合物を単離する上記式ＩＩＩを有する化合物の製造方法に関する。
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
下記成分を下記質量％範囲で含んでなる組成のガラス強化ストランド：
ＳｉＯ2    ５０〜６０％；
Ａｌ2Ｏ3    １０〜１９％；
Ｂ2Ｏ3    １６〜２５％；
ＺｒＯ2    ０．５〜１．５％；
Ｎａ2Ｏ    ≦１．５％；
Ｋ2Ｏ    ≦１．５％；
Ｒ2Ｏ    ≦２％；
ＣａＯ    ≦１０％；
ＭｇＯ    ≦１０％；
Ｆ    ０〜２％；
ＴｉＯ2    ０〜３％；
ＲＯ    ４〜１５％；及び
その他  ≦３％
（ここで、Ｒ2Ｏ＝Ｎａ2Ｏ＋Ｋ2Ｏ＋Ｌｉ2Ｏ、及びＲＯ＝ＣａＯ＋ＭｇＯである）。
【請求項２】
前記組成のＺｒＯ2含量が、ＺｒＯ2≦１％であることを特徴とする、請求項１に記載のガラスストランド。
【請求項３】
前記組成の石灰（ＣａＯ）含量が、ＣａＯ≦８％及びＣａＯ≧２％であることを特徴とする、前記請求項のいずれかに記載のガラスストランド。
【請求項４】
前記組成のマンガン（ＭｇＯ）含量が、ＭｇＯ≦８％及びＭｇＯ≧２％であることを特徴とする、前記請求項のいずれかに記載のガラスストランド。
【請求項５】
前記組成のホウ素（Ｂ2Ｏ3）含量が、Ｂ2Ｏ3≧１８％及びＢ2Ｏ3≦２２％であることを特徴とする、前記請求項のうちの１項に記載のガラスストランド。
【請求項６】
請求項１〜５のうちの１項に記載のガラスストランドを含むことを特徴とする、ガラスストランド並びに有機及び／又は無機材料（単一又は複数）の複合体。
【請求項７】
印刷回路基板を製造するための、請求項１〜５のうちの１項に記載のガラスストランドの使用。
【請求項８】
請求項１〜５のうちの１項に記載のガラスストランドの製造方法であって、一つ以上のブッシングのベースに位置する数多くのオリフィスから流れ出る多数の溶融ガラス流を、連続するフィラメントの一つ以上のウェブの形態で引いた後、これらのフィラメントをいっしょに集めて一本以上のストランドとして、移動支持体上に集める、方法。
【請求項９】
前記ブッシング（単一又は複数）のオリフィスに供給される前記溶融ガラスは、質量％で以下の組成を有するものであることを特徴とする、請求項８に記載の方法。
ＳｉＯ2    ５０〜６０％；
Ａｌ2Ｏ3    １０〜１９％；
Ｂ2Ｏ3    １６〜２５％；
ＺｒＯ2    ０．５〜１．５％；
Ｎａ2Ｏ    ≦１．５％；
Ｋ2Ｏ    ≦１．５％；
Ｒ2Ｏ    ≦２％；
ＣａＯ    ≦１０％；
ＭｇＯ    ≦１０％；
Ｆ    ０〜２％；
ＴｉＯ2    ０〜３％；
ＲＯ    ４〜１５％；及び
その他  ≦３％
（ここで、Ｒ2Ｏ＝Ｎａ2Ｏ＋Ｋ2Ｏ＋Ｌｉ2Ｏ、及びＲＯ＝ＣａＯ＋ＭｇＯである）。
【請求項１０】
ガラス強化ストランドを製造するのに好適なガラス組成物であって、質量％で以下の成分を、以下の範囲で含むものである、ガラス組成物：
ＳｉＯ2    ５０〜６０％；
Ａｌ2Ｏ3    １０〜１９％；
Ｂ2Ｏ3    １６〜２５％；
ＺｒＯ2    ０．５〜１．５％；
Ｎａ2Ｏ    ≦１．５％；
Ｋ2Ｏ    ≦１．５％；
Ｒ2Ｏ    ≦２％；
ＣａＯ    ≦１０％；
ＭｇＯ    ≦１０％；
Ｆ    ０〜２％；
ＴｉＯ2    ０〜３％；
ＲＯ    ４〜１５％；及び
その他  ≦３％
（ここで、Ｒ2Ｏ＝Ｎａ2Ｏ＋Ｋ2Ｏ＋Ｌｉ2Ｏ、及びＲＯ＝ＣａＯ＋ＭｇＯである）。
【請求項１１】
下記成分を下記質量％範囲で含んでなる組成の、請求項１に記載のガラス強化ストランド：
ＳｉＯ2    ５２〜５７％；
Ａｌ2Ｏ3    １３〜１７％；
Ｂ2Ｏ3    １６〜２５％；
ＺｒＯ2    ０．５〜１．５％；
Ｎａ2Ｏ    ≦０．８％；
Ｋ2Ｏ    ≦０．８％；
Ｒ2Ｏ    ≦１％；
ＣａＯ    ≦１０％；
ＭｇＯ    ≦１０％；
Ｆ    ０〜２％；
ＴｉＯ2    ０〜３％；
ＲＯ    ６〜１０％；及び
その他  ≦３％
（ここで、Ｒ2Ｏ＝Ｎａ2Ｏ＋Ｋ2Ｏ＋Ｌｉ2Ｏ、及びＲＯ＝ＣａＯ＋ＭｇＯである）。
【請求項１２】
前記組成の石灰（ＣａＯ）含量が、ＣａＯ≦６％及びＣａＯ≧４％であることを特徴とする、請求項３に記載のガラスストランド。
【請求項１３】
前記組成のマンガン（ＭｇＯ）含量が、ＭｇＯ≦６％及びＭｇＯ≧２％であることを特徴とする、請求項４に記載のガラスストランド。
【請求項１４】
前記組成のホウ素（Ｂ2Ｏ3）含量が、Ｂ2Ｏ3≧１８％及びＢ2Ｏ3≦２０％であることを特徴とする、請求項５に記載のガラスストランド。
【請求項１５】
前記ブッシング（単一又は複数）のオリフィスに供給される前記溶融ガラスは、質量％で以下の組成を有するものであることを特徴とする、請求項９に記載の方法。
ＳｉＯ2    ５２〜５７％；
Ａｌ2Ｏ3    １３〜１７％；
Ｂ2Ｏ3    １６〜２５％；
ＺｒＯ2    ０．５〜１．５％；
Ｎａ2Ｏ    ≦０．８％；
Ｋ2Ｏ    ≦０．８％；
Ｒ2Ｏ    ≦１％；
ＣａＯ    ≦１０％；
ＭｇＯ    ≦１０％；
Ｆ    ０〜２％；
ＴｉＯ2    ０〜３％；
ＲＯ    ６〜１０％；及び
その他  ≦３％
（ここで、Ｒ2Ｏ＝Ｎａ2Ｏ＋Ｋ2Ｏ＋Ｌｉ2Ｏ、及びＲＯ＝ＣａＯ＋ＭｇＯである）。
【請求項１６】
ガラス強化ストランドを製造するのに好適なガラス組成物であって、質量％で以下の成分を、以下の範囲で含むものである、請求項１０に記載のガラス組成物：
ＳｉＯ2    ５２〜５７％；
Ａｌ2Ｏ3    １３〜１７％；
Ｂ2Ｏ3    １６〜２５％；
ＺｒＯ2    ０．５〜１．５％；
Ｎａ2Ｏ    ≦０．８％；
Ｋ2Ｏ    ≦０．８％；
Ｒ2Ｏ    ≦１％；
ＣａＯ    ≦１０％；
ＭｇＯ    ≦１０％；
Ｆ    ０〜２％；
ＴｉＯ2    ０〜３％；
ＲＯ    ６〜１０％；及び
その他  ≦３％
（ここで、Ｒ2Ｏ＝Ｎａ2Ｏ＋Ｋ2Ｏ＋Ｌｉ2Ｏ、及びＲＯ＝ＣａＯ＋ＭｇＯである）。
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
硝酸アンモニウムを９４〜９６ｗｔ％と、少なくともＣｕＯとＫＮＯ3の相乗的な相安定化添加剤の組み合わせを４〜６ｗｔ％含む相安定化硝酸アンモニウム組成物であって、ＣｕＯが、硝酸アンモニウムと相乗的な相安定化添加剤の組み合わせの合計を１００ｗｔ％として計算した質量百分率で２．０ｗｔ％以下の相対量で存在する、相安定化硝酸アンモニウム組成物。
【請求項２】
燃料材料と請求項１に記載の相安定化硝酸アンモニウム組成物を含む、ガス発生剤組成物。
【請求項３】
前記相乗的な相安定化添加剤の組み合わせがＺｎＯをさらに含み、ＺｎＯが１．５ｗｔ％以下の相対量で前記組成物中に存在する、請求項１に記載の相安定化硝酸アンモニウム組成物。
【請求項４】
燃料材料と請求項３に記載の相安定化硝酸アンモニウム組成物を含む、ガス発生剤組成物。
【請求項５】
前記ＺｎＯが、０．７５〜１．２ｗｔ％の相対量で前記組成物中に存在する、請求項３に記載の相安定化硝酸アンモニウム組成物。
【請求項６】
燃料材料と請求項５に記載の相安定化硝酸アンモニウム組成物を含む、ガス発生剤組成物。
【請求項７】
少なくともＣｕＯとＫＮＯ3の相安定化添加剤の組み合わせを硝酸アンモニウムに加えて、硝酸アンモニウムを９４〜９６ｗｔ％と、該相安定化添加剤の組み合わせを４〜６ｗｔ％含む相安定化硝酸アンモニウム組成物を形成する工程を含み、ＣｕＯが、硝酸アンモニウムと相安定化添加剤の組み合わせの合計を１００ｗｔ％として計算した質量百分率で２．０ｗｔ％以下の相対量で存在する、硝酸アンモニウムを相安定化する方法。
【請求項８】
前記相安定化添加剤の組み合わせがＺｎＯをさらに含む、請求項７に記載の方法。
【請求項９】
前記ＺｎＯが、１．５ｗｔ％以下の相対量で前記組成物中に存在する、請求項８に記載の方法。
【請求項１０】
前記ＺｎＯが、０．７５〜１．２ｗｔ％の相対量で前記組成物中に存在する、請求項８に記載の方法。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
式（Ｉ）の化合物、または薬学上許容可能な無機もしくは有機酸とのその付加塩を含んでなる、神経障害または心因性起源の慢性的疼痛症状の治癒治療用医薬組成物：
【化１】
2006520370.tif 000001
［式中、
ｕは、水素原子またはメチル基であり、但し、ｕがメチル基であるときには、ｖおよびｗは水素原子であり、
ｖは、水素原子、塩素原子またはメチル基であり、但し、ｖがメチル基であるときには、ｕおよびｗは水素原子であり、
ｗは、水素原子、フッ素原子またはメチル基であり、ｗがメチル基であるときには、ｕおよびｖは水素原子であり、
ｘは、水素原子またはフッ素原子であり、
ｙは、塩素原子またはメチル基であり、
ｚは、水素原子、フッ素原子、塩素原子、またはメチル基であり、
Ａは、
水素原子またはフッ素原子または塩素原子、
Ｃ１−Ｃ５アルキル基、すなわちメチル、エチル、プロピル、ブチル、ペンチル、イソプロピル、１−メチル−エチル、１−メチル−プロピル、１−メチル−ブチル、２−メチル−プロピル、２−メチル−ブチル、３−メチル−ブチル、１−エチル−プロピル、２−エチル−プロピルのような、１−５個の炭素原子を含む直鎖状または分岐鎖状の飽和脂肪族炭化水素残基、
モノフルオロメチル（−ＣＨ２Ｆ）、ジフルオロメチル（−ＣＨＦ２）、トリフルオロメチル（−ＣＦ３）、１−フルオロ−１−エチル（−ＣＨＦＣＨ３）、または、１，１−ジフルオロ−１−エチル（−ＣＦ２ＣＨ３）のような、フルオロアルキル基、
シクロプロピル、シクロブチルまたはシクロペンチル基、
置換または未置換の５員芳香族複素環基であって、窒素、酸素および硫黄から選択される１、２、３または４個のヘテロ原子を含み、硫黄または酸素の１原子だけが複素環Ａに存在するもの
好ましくは、該芳香族複素環は、
フラン−２−イル、（Ｏ．ＣＨ：ＣＨ．ＣＨ：Ｃ−）または
フラン−３−イル、（ＣＨ：ＣＨ．Ｏ．ＣＨ：Ｃ−）または
１Ｈ−ピロール−２−イル、（ＮＨ．ＣＨ：ＣＨ．ＣＨ：Ｃ−）または
１Ｈ−ピロール−３−イル、（ＣＨ：ＣＨ．ＮＨ．ＣＨ：Ｃ−）または
１−メチル−ピロール−２−イル、(Ｎ(ＣＨ３)．ＣＨ：ＣＨ．ＣＨ：Ｃ−)または
１−メチル−ピロール−３−イル、(ＣＨ：ＣＨ．Ｎ(ＣＨ３)．ＣＨ：Ｃ−)または
チオフェン−２−イル、（Ｓ．ＣＨ：ＣＨ．ＣＨ：Ｃ−）または
チオフェン−３−イル、（ＣＨ：ＣＨ．Ｓ．ＣＨ：Ｃ−）または
ピラゾール−１−イル、（Ｎ：ＣＨ．ＣＨ：ＣＨ．Ｎ−）または
１Ｈ−ピラゾール−３−イル、（ＣＨ：ＣＨ．ＮＨ．Ｎ：Ｃ−）または
１Ｈ−ピラゾール−４−イル、（ＣＨ：Ｎ．ＮＨ．ＣＨ：Ｃ−）または
１−メチル−ピラゾール−３−イル、(ＣＨ：ＣＨ．Ｎ(ＣＨ３)．Ｎ：Ｃ−)または
イミダゾール−１−イル、（ＣＨ：Ｎ．ＣＨ：ＣＨ．Ｎ−）または
１Ｈ−イミダゾール−２−イル、（ＮＨ．ＣＨ：ＣＨ．Ｎ：Ｃ−）または
１Ｈ−イミダゾール−４−イル、（Ｎ：ＣＨ．ＮＨ．ＣＨ：Ｃ−）または
オキサゾール−２−イル、（Ｏ．ＣＨ：ＣＨ．Ｎ：Ｃ−）または
オキサゾール−４−イル、（Ｎ：ＣＨ．Ｏ．ＣＨ：Ｃ−）または
オキサゾール−５−イル、（Ｏ．ＣＨ：Ｎ．ＣＨ：Ｃ−）または
イソオキサゾール−５−イル、（Ｏ．Ｎ：ＣＨ．ＣＨ：Ｃ−）または
イソオキサゾール−４−イル、（ＣＨ：Ｎ．Ｏ．ＣＨ：Ｃ−）または
イソオキサゾール−３−イル、（ＣＨ：ＣＨ．Ｏ．Ｎ：Ｃ−）または
チアゾール−２−イル、（Ｓ．ＣＨ：ＣＨ．Ｎ：Ｃ−）または
チアゾール−４−イル、（Ｎ：ＣＨ．Ｓ．ＣＨ：Ｃ−）または
チアゾール−５−イル、（Ｓ．ＣＨ：Ｎ．ＣＨ：Ｃ−）または
イソチアゾール−５−イル、（Ｓ．Ｎ：ＣＨ．ＣＨ：Ｃ−）または
イソチアゾール−４−イル、（ＣＨ：Ｎ．Ｓ．ＣＨ：Ｃ−）または
イソチアゾール−３−イル、（ＣＨ：ＣＨ．Ｓ．Ｎ：Ｃ−）または
［１，２，４］トリアゾール−１−イル、（ＣＨ：Ｎ．ＣＨ：Ｎ．Ｎ−）または
１Ｈ［１，２，４］トリアゾール−３−イル、(Ｎ：ＣＨ．ＮＨ．Ｎ：Ｃ−)または
［１，２，４］オキサジアゾール−３−イル、（Ｎ：ＣＨ．Ｏ．Ｎ：Ｃ−）または
［１，２，４］オキサジアゾール−５−イル、（Ｏ．Ｎ：ＣＨ．Ｎ：Ｃ−）または
５−メチル［１，２，４］オキサジアゾール−３−イル、（Ｎ：Ｃ（ＣＨ３）．Ｏ．Ｎ：Ｃ−）または
１Ｈ−テトラゾール−５−イル、（ＮＨ．Ｎ：Ｎ．Ｎ：Ｃ−）
であり、
アルコキシ（Ｒ１Ｏ−）またはアルキルチオ（Ｒ１Ｓ−）基であって、基Ｒ１が
上記で定義した通りのＣ１−Ｃ５アルキル基、
モノフルオロメチルまたはトリフルオロメチル基、
シクロプロピルまたはシクロブチルまたはシクロペンチル基
であるもの、
下記ＩＩ型のアミノ基：
【化２】
2006520370.tif 000002
（式中、Ｒ２およびＲ３は同一であるかまたは異なり、水素、上記で定義した通りのＣ１−Ｃ５アルキル基、シクロプロピル基またはトリフルオロメチル基である）、
下記ＩＩＩ型の飽和環状アミノ基：
【化３】
2006520370.tif 000003
（式中、ｎは１または２の整数である）、
アルコキシカルボニル基、好ましくはメトキシカルボニル基（ＣＨ３ＯＣＯ−）またはエトキシカルボニル基（ＣＨ３ＣＨ２ＯＣＯ−）
である］。
【請求項２】
化合物（Ｉ）が式（Ｉ）（ここで、Ａは水素原子またはアミノメチル基であり、ｕはメチル基ＣＨ３であり、ｖおよびｗはいずれも水素原子であり、Ｘはフッ素原子であり、ｙは塩素原子であり、ｚはフッ素原子である）である、請求項１に記載の医薬組成物。
【請求項３】
神経障害または心因性起源の慢性的疼痛症状の予防および治癒治療を目的とするものである、請求項１または２に記載の医薬組成物。
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
式：
【化１】
2006520846.tif 000001
（式中、Ｒ1およびＲ2が各々独立に、Ｈ、アルキル基、ニトリル、シクロアルキル基、複素環基、アレーニル基およびアリール基から選択されるか、またはＲ1およびＲ2が、それらが結合している炭素と一緒になって、炭素環を形成し、
Ｒ3およびＲ4が各々独立に、アルキル基、シクロアルキル基、アリール基、複素環基、アレーニル基から選択されるか、またはＲ3およびＲ4が、それらが結合している炭素と一緒になって、炭素環を形成し、
Ｒ5およびＲ6が各々独立に、アルキル基、シクロアルキル基、複素環基、アリール基、アレーニル基から選択されるか、またはＲ5およびＲ6が、それらが結合している窒素と一緒になって、複素環を形成し、
Ｒ7が、有機または無機部分であり、ｍの原子価を有し、
Ｚが−Ｏ−、−Ｓ−、または−ＮＲ8であり、ここで、Ｒ8がＨ、アルキル、シクロアルキルまたはアリール、複素環基、アレーニルであってもよく、
ｍが少なくとも１であり、
Ｑが、共有結合、アリール基、（−ＣＨ2−）o、−ＣＯ−Ｏ−（ＣＨ2）o−、−ＣＯ−Ｏ−（ＣＨ2ＣＨ2Ｏ）o−、−ＣＯ−ＮＲ8−（ＣＨ2）o−、−ＣＯ−Ｓ−（ＣＨ2）o−から選択された結合基であり、ここで、ｏが１〜１２であり、Ｒ8がＨ、アルキル基、シクロアルキル基、アレーニル基、複素環基、またはアリール基であり、
ｎが０または１である）
の光イニファータ。
【請求項２】
Ｒ1およびＲ2の少なくとも１つがＣ1〜Ｃ4アルキル基である、請求項１に記載の光イニファータ。
【請求項３】
Ｒ3およびＲ4の少なくとも１つがＣ1〜Ｃ4アルキル基である、請求項１に記載の光イニファータ。
【請求項４】
１つ以上のオレフィン性不飽和モノマーと請求項１に記載の光イニファータとの混合物を化学線エネルギーに露光することを含む、１つ以上のオレフィン性不飽和モノマーの光付加重合のための方法。
【請求項５】
前記光イニファータが１０-5Ｍ〜１Ｍの濃度で存在する、請求項４に記載の方法。
【請求項６】
光イニファータとモノマーとのモル比が１０-5：１〜１０-1：１である、請求項４に記載の方法。
【請求項７】
前記混合物が、式ＭyＬzの促進剤をさらに含み、ここで、Ｍが、スズ、亜鉛、コバルト、チタン、パラジウム、および鉛からなる群から選択される金属のｚの原子価を有するカチオンであり、ｙが少なくとも１の整数であり、Ｌが、Ｃ1−Ｃ20アルキル、−アリール、−ＯＲ、−Ｏ−Ｃ（Ｏ）−Ｒ、ＮＯ3-−、ＳＯ42-、およびＰＯ43-からなる群から選択されるアニオンであり、Ｒが、Ｃ1-20アルキルおよびアリールからなる群から選択され、ｚが少なくとも１の整数である、請求項４に記載の方法。
【請求項８】
チウラム化合物をさらに含む、請求項４に記載の方法。
【請求項９】
１つ以上のフリーラジカル（共）重合性モノマーの重合単位、
第１の開環アズラクトン末端基、および
第２のジチオカルバメート末端基、を含むテレケリック（コ）ポリマー。
【請求項１０】
構造Ａｚ−（Ｍ1）x（Ｍ2）x−（Ｍ3）x…（ＭΩ）x−ＤｉＴＣ
［式中、
ＤｉＴＣが式Ｒ5Ｒ6Ｎ−Ｃ（Ｓ）−Ｓのジチオカルバメートであり、ここで、Ｒ5およびＲ6が各々独立に、アルキル基、シクロアルキル基、アリール基、アレーニル基から選択されるか、またはＲ5およびＲ6が、それらが結合している窒素と一緒になって、複素環を形成し、
Ｍ1〜ＭΩが各々、平均重合度ｘを有するラジカル（共）重合性モノマー単位から誘導されたモノマー単位のポリマーブロックであり、
各ｘが独立しており、
Ａｚが、式：
【化２】
2006520846.tif 000002
（式中、Ｒ1およびＲ2が各々独立に、Ｈ、アルキル基、ニトリル、シクロアルキル基、複素環基、アレーニル基およびアリール基から選択されるか、またはＲ1およびＲ2が、それらが結合している炭素と一緒になって、炭素環を形成し、
Ｒ3およびＲ4が各々独立に、アルキル基、シクロアルキル基、アリール基、アレーニル基から選択されるか、またはＲ3およびＲ4が、それらが結合している炭素と一緒になって、炭素環を形成し、
Ｒ7が、式Ｒ7（ＺＨ）mの一官能性またはポリ官能性化合物の残基であり、
Ｚが−Ｏ−、−Ｓ−、または−ＮＲ8であり、ここで、Ｒ8がＨ、アルキル、シクロアルキル、アリール基、複素環基、アレーニルであることができ、ｍが少なくとも１であり、
Ｑが、共有結合、（−ＣＨ2−）o、−ＣＯ−Ｏ−（ＣＨ2）o−、−ＣＯ−Ｏ−（ＣＨ2ＣＨ2Ｏ）o−、−ＣＯ−ＮＲ8−（ＣＨ2）o−、−ＣＯ−Ｓ−（ＣＨ2）o−から選択された結合基であり、ここで、ｏが１〜１２であり、Ｒ8がＨ、アルキル基、シクロアルキル基、アレーニル基、複素環基またはアリール基であり、ｍが少なくとも１であり、ｎが０または１である）
の開環アズラクトン基である］
を有する、請求項９に記載の（コ）ポリマー。